(57)【要約】【課題】複数の内容物を収納し、その一部を取り出した残りを再びカートンと共に保管するときに、カートンが嵩張らず、また、保管中や取扱中に、収納する内容物がはみ出したり、落ちたりすることがない減容可能なカートンを提供する。【解決手段】外観が縦長の長方体状のカートン１０であり、内側に複数の内容物を収納し、使用するときに、裏面板１４０の上端部の横方向のほぼ中央位置に設けられた開け口片部１４１を押し破って、開け口片部を外側天板１６０に貼着したまま、外側天板と内側天板１８０と左右両側のフラップ１１１，１３１を開口して収納する内容物の一部を取り出したのち、左右の側面板１１０，１３０を横方向の中程で内側へ折り込み、正面板と裏面板を重ね合せて裏面板を内側にして縦方向の中程まで折り畳み、裏面板の下方の差込み係止部１４２に、外側天板の係止片部１６１を差し込んで係止する。【選択図】図１
2008265818.tif 000002
【特許請求の範囲】
【請求項１】
ブランクを折り畳んで形成する外観が縦長の長方体状のカートンであって、左の側面板、正面板、右の側面板、裏面板、外側天板、内側天板、外側底板、内側底板とからなり、内側に複数の個包装する内容物を収納し、使用するときに、前記裏面板の上端部の横方向のほぼ中央位置に設けられた開け口片部を押し破って、前記開け口片部を前記外側天板に貼着した状態で前記内側天板を部分的に破断して、前記外側天板と前記内側天板と左右両側のフラップを開口し、収納する前記内容物の一部を取り出したのちに、前記左右の側面板を横方向の中程で内側へ折り込み、前記正面板と前記裏面板を重ね合せて前記裏面板を内側にして縦方向の中程まで折り畳み、前記裏面板の下方の所定位置に設けられた差込み係止部に、前記外側天板の所定位置に設けられている係止片部を差し込んで係止することを特徴とする減容可能なカートン。
【請求項２】
前記カートンのブランクが、左側から左の側面板、正面板、右の側面板、裏面板、貼着板とを縦の折り目線を介して順次連設し、前記左の側面板と前記右の側面板の上下両端に、横の折り目線を介してそれぞれフラップを連設し、前記正面板の上端に、横の折り目線を介して外側天板を連設し、前記正面板の下端に、横の折り目線を介して外側底板を連設し、前記裏面板の上端に、横の折り目線を介して前記外側天板より縦方向の幅が小さい内側天板を連設し、前記裏面板の下端に、横の折り目線を介して前記外側底板より縦方向の幅が小さい内側底板を連設し、前記左の側面板と上端に連接するフラップの横方向の中央位置に、該フラップの上端から前記左の側面板の前記正面板と前記裏面板の折り曲げ位置に対応する位置まで縦の折り目線を設け、該折り目線の下端から左右に下方開きの二本の斜めの折り目を所定位置に設け、前記正面板の上端に連接する外側天板の中央位置に、下向きの所定形状の切込みを設けて係止片部を形成し、前記右の側面板と上端に連接するフラップの横方向の中央位置に、該フラップの上端から前記右の側面板の前記正面板と前記裏面板の折り曲げ位置に対応する位置まで縦の折り目線を設け、該折り目線の下端から左右に下方開きの二本の斜めの折り目を前記左側面板の二本の斜めの折り目に対応させて設け、前記裏面板の前記正面板との折り曲げ位置に横の折り目線を設け、該横の折り目線下方に平行させて前記右の側面板の右側の斜めの折り目線の下端と接続する横の折り目線を設け、前記裏面板の上端の横方向の中央位置に、ミシン目線を設けて開け口片部を形成し、前記裏面板の前記外側天板の係止片部を差し込む下方の位置に、横方向の切込み線を設けて差込み係止部を形成し、前記貼着板に、前記裏面板の平行に設けた下方の横の折り目線の右端に接続させて前記左側面板の左側の斜めの折り目線に対応する斜めの折り目線を設け、前記内側天板の中央上端部の所定位置に、切欠きを設けたことを特徴とする請求項１記載の減容可能なカートン。
【発明の詳細な説明】
【技術分野】
【０００１】
本発明は、使用したのちに、収納されていた商品の半分又は一部を、そのまま収納した状態で、カートンを減容させて保管することができる減容可能なカートンに関するものである。
【背景技術】
【０００２】
従来、例えばカレーやシチューなどの個包装されたルウを二個収納するカートンでは、一個取り出したのちに、残りの一個をカートン内に収納したままで冷蔵庫などに保存する場合に、カートンを、余分なスペースがあるままの大きさで保管したり、余分なスペースを適当に折り畳んだり、又は鋏で切り取って保管していた。
【発明の開示】
【発明が解決しようとする課題】
【０００３】
しかしながら、上述した内容物を一個取り出した状態のカートンをそのまま保管することは、無駄な保管スペースをとり、また、余分なスペースを折り畳んだカートンは、保管中に折り畳んだ部分が元にもどたり、また、余分なスペースを鋏で切り取ったカートンは、保管中や取り扱うときに、切り口から収納する内容物がはみ出したり、落ちたりすることがあった。
【０００４】
本発明は、上述の従来のカートンの問題点を解決したものであり、複数の個包装された内容物を収納し、その一部を取り出した残りを再びカートンと共に保管するときに、カートンが嵩張らず、また、保管中や取り扱うときに、収納する内容物がはみ出したり、落ちたりすることがない減容可能なカートンを提供するものである。
【課題を解決するための手段】
【０００５】
すなわち、本発明の第１の発明は、ブランクを折り畳んで形成する外観が縦長の長方体状のカートンであって、左の側面板、正面板、右の側面板、裏面板、外側天板、内側天板、外側底板、内側底板とからなり、内側に複数の個包装する内容物を収納し、使用するときに、前記裏面板の上端部の横方向のほぼ中央位置に設けられた開け口片部を押し破って、前記開け口片部を前記外側天板に貼着した状態で前記内側天板を部分的に破断して、前記外側天板と前記内側天板と左右両側のフラップを開口し、収納する前記内容物の一部を取り出したのちに、前記左右の側面板を横方向の中程で内側へ折り込み、前記正面板と前記裏面板を重ね合せて前記裏面板を内側にして縦方向の中程まで折り畳み、前記裏面板の下方の所定位置に設けられた差込み係止部に、前記外側天板の所定位置に設けられている係止片部を差し込んで係止することを特徴とする減容可能なカートンである。
【０００６】
そして、本発明の第２の発明は、前記カートンのブランクが、左側から左の側面板、正面板、右の側面板、裏面板、貼着板とを縦の折り目線を介して順次連設し、前記左の側面板と前記右の側面板の上下両端に、横の折り目線を介してそれぞれフラップを連設し、前記正面板の上端に、横の折り目線を介して外側天板を連設し、前記正面板の下端に、横の折り目線を介して外側底板を連設し、前記裏面板の上端に、横の折り目線を介して前記外側天板より縦方向の幅が小さい内側天板を連設し、前記裏面板の下端に、横の折り目線を介して前記外側底板より縦方向の幅が小さい内側底板を連設し、前記左の側面板と上端に連接するフラップの横方向の中央位置に、該フラップの上端から前記左の側面板の前記正面板と前記裏面板の折り曲げ位置に対応する位置まで縦の折り目線を設け、該折り目線の下端から左右に下方開きの二本の斜めの折り目を所定位置に設け、前記正面板の上端に連接する外側天板の中央位置に、下向きの所定形状の切込みを設けて係止片部を形成し、前
記右の側面板と上端に連接するフラップの横方向の中央位置に、該フラップの上端から前記右の側面板の前記正面板と前記裏面板の折り曲げ位置に対応する位置まで縦の折り目線を設け、該折り目線の下端から左右に下方開きの二本の斜めの折り目を前記左側面板の二本の斜めの折り目に対応させて設け、前記裏面板の前記正面板との折り曲げ位置に横の折り目線を設け、該横の折り目線下方に平行させて前記右の側面板の右側の斜めの折り目線の下端と接続する横の折り目線を設け、前記裏面板の上端の横方向の中央位置に、ミシン目線を設けて開け口片部を形成し、前記裏面板の前記外側天板の係止片部を差し込む下方の位置に、横方向の切込み線を設けて差込み係止部を形成し、前記貼着板に、前記裏面板の平行に設けた下方の横の折り目線の右端に接続させて前記左側面板の左側の斜めの折り目線に対応する斜めの折り目線を設け、前記内側天板の中央上端部の所定位置に、切欠きを設けたことを特徴とする第１の発明に記載の減容可能なカートンである。
【発明の効果】
【０００７】
本発明の減容可能なカートンは、個包装する複数の内容物を収納し、使用するときに、裏面板の上端部の横方向のほぼ中央位置にミシン目線で設けられた開け口片部を押し破って正面板の前方側へ移動させ、開け口片部を外側天板に貼着した状態で開け口片部を外側天板に貼着した状態で内側天板を部分的に破断して、外側天板と内側天板と左右両側のフラップを開口し、収納する上方の内容物を取り出し、残りの内容物を収納するカートンを冷蔵庫などに保管するときに、左右の側面板を横方向の中程で縦の折り目線と斜めの折り目線により内側へ折り込み偏平にし、正面板と裏面板を重ね合せて裏面板を内側にして縦方向の中程まで折り畳み、裏面板の下方に設けられた差込み係止部に、外側天板に設けられている係止片部を差し込んで係止することができる。このため、カートンの余分なスペースを減じることができ、カートンを保管するときに、カートンが嵩張らず、また、保管中や取り扱うときに、収納する内容物がカートンからはみ出したり落ちたりすることが回避される。
【発明を実施するための最良の形態】
【０００８】
次に、本発明の減容可能なカートンの一実施形態について、図を用いて詳細に説明する。
【０００９】
図１は、本実施形態のカートンの減容の過程を示す斜視図であり、図２は、そのカートンのブランクの展開平面図である。
【００１０】
本実施形態のカートンは、図２に示すブランク（１００）を折り畳んで形成する図１（ａ）に示す外観が縦長の長方体状のカートン（１０）であり、複数の個包装された内容物を縦方向に収納するものである。使用するときには、図１（ａ）に示す裏面板（１４０）の上端部の横方向のほぼ中央位置に設けられた開け口片部（１４１）を指でミシン目線（１０２）を押し破り、そのまま正面板の前方側へ移動させて、図１（ｂ）に示すように、開け口片部（１４１）を外側天板（１６０）に貼着した状態で内側天板（１８０）を部分的に破断して外側天板（１６０）を開口し、次いで内側天板（１８０）と左右両側のフラップ（１１１，１３１）を開口して収納する上方の内容物を取り出すものである。そして、収納する下方の内容物を取り出す必要のなくそのまま再度保管する場合には、図１（ｂ）に示す左右の側面板（１１０，１３０）を横方向の中程で縦の折り目線（１０１ｇ図示せず，１０１ｈ）と斜めの折り目線（１０１ｊと１０１ｋ図示せず，１０１ｍと１０１ｎ）により内側へ折り込み偏平にし、図１（ｃ）に示すように、正面板（１２０）と裏面板（１４０）を重ね合せて裏面板を内側にして、縦方向の中程まで折り畳み、裏面板の下方に切込み線（１０３ｂ）で形成されている差込み係止部（１４２）に、外側天板に切込み線（１０３ａ）で形成されている係止片部（１６１）を内側へ折り曲げて差し込んで、図（ｄ）に示すように、係止するものである。なお、再度、カートンを開口するときは、開け口片部を引き上げて、係止片部を差込み係止部から抜いて開口するものである。
【００１１】
次に、本実施形態のカートンを組み立てるブランク（１００）は、カートンの使用目的に合わせた坪量のた板紙からなり、図２に示すように、左の側面板（１１０）の右側に縦の折り目線（１０１ａ）を介して正面板（１２０）を連設し、正面板（１２０）の右側に縦の折り目線（１０１ｂ）を介して右の側面板（１３０）を連設し、右の側面板（１３０）の右側に縦の折り目線（１０１ｃ）を介して裏面板（１４０）を連設し、裏面板（１４０）の右側に縦の折り目線（１０１ｄ）を介して貼着板（１５０）を連設し、左の側面板（１１０）の上端に横の折り目線（１０１ｅ）を介してフラップ（１１１）を連設し、左の側面板（１１０）の下端に横の折り目線（１０１ｆ）を介してフラップ（１１２）を連設し、正面板（１２０）の上端に横の折り目線（１０１ｅ）を介して外側天板（１６０）を連設し、正面板（１２０）の下端に横の折り目線（１０１ｆ）を介して外側底板（１７０）を連設し、右の側面板（１３０）の上端に横の折り目線（１０１ｅ）を介してフラップ（１３１）を連設し、右の側面板（１３０）の下端に横の折り目線（１０１ｆ）を介してフラップ（１３２）を連設し、裏面板（１４０）の上端に横の折り目線（１０１ｅ）を介して外側天板（１６０）より縦方向の幅が小さい内側天板（１８０）を連設し、裏面板（１４０）の下端に横の折り目線（１０１ｆ）を介して外側底板（１７０）より縦方向の幅が小さい内側底板（１９０）を連設し、左の側面板（１１０）と上端に連接するフラップ（１１１）の横方向の中央位置に、フラップの上端から左の側面板の正面板と裏面板の折り曲げ位置に対応する位置まで縦の折り目線（１０１ｇ）を設け、この折り目線の下端から左右に下方開きの二本の斜めの折り目（１０１ｊと１０１ｋ）を左の側面板（１１０）の上方を縦の折り目線（１０１ｇ）を折り込んで偏平にし易くする位置に設け、正面板（１２０）の上端に連接する外側天板（１６０）の中央位置に、下向きの弧状の切込み（１０３ａ）を設けて係止片部（１６１）を形成し、右の側面板（１３０）と上端に連接するフラップ（１３１）の横方向の中央位置に、フラップの上端から右の側面板の正面板と裏面板の折り曲げ位置に対応する位置まで縦の折り目線（１０１ｈ）を設け、この折り目線の下端から左右に下方開きの二本の斜めの折り目（１０１ｍと１０１ｎ）を、左の側面板（１１０）の二本の斜めの折り目（１０１ｊと１０１ｋ）に対応させて設け、裏面板（１４０）の正面板（１２０）との折り曲げ位置に横の折り目線（１０１ｑ）を設け、この横の折り目線下方に平行させて、右の側面板の右側の斜めの折り目線（１０１ｎ）の下端と接続する横の折り目線（１０１ｒ）を設け、裏面板（１４０）の上端の横方向の中央位置に、下向きの弧状のミシン目線（１０２）を設けて開け口片部（１４１）を形成し、裏面板の下方の位置に、差し込む横方向の切込み線（１０３ｂ）を設けて外側天板（１６０）の係止片部（１６１）を差込む係止部（１４２）を形成し、貼着板（１５０）に、裏面板（１４０）の平行に設けた下方の横の折り目線（１０１ｒ）の右端に接続させて左の側面板（１１０）の左側の斜めの折り目線（１０１ｊ）に対応する斜めの折り目線（１０１ｐ）を設け、内側天板（１８０）の中央上端部に、外側天板（１６０）と重ね合わされたときに、外側天板（１６０）の係止片部（１６１）が内側天板（１８０）と重ならないように下向きの弧状の切欠き（１８１）を設けるものである。
【００１２】
なお、カートンの製箱においては、図２のプランク（１００）を縦の折り目線（１０１ａ，１０１ｂ，１０１ｃ，１０１ｄ）と横の折り目線（１０１ｅ，１０１ｆ）を山折りして折り畳み、左の側面板（１１０）の裏面と貼着板（１５０）の表面とを貼着し、外側天板（１６０）と内側天板（１８０）の表面とを、開口するときに、開け口片部（１４１）を外側天板（１６０）に貼着した状態で内側天板（１８０）を部分的に破断して開口できるように部分的に貼着し、外側底板（１７０）の裏面と内側底板（１９０）の表面を貼着するものである。また、必要に応じては、裏面板の上端に設ける折り目線の開け口片部の左右両側をミシン目にしてもよい。
【図面の簡単な説明】
【００１３】
【図１】本発明の一例の減容可能なカートンの斜視図であり、（ａ）は、開封前の状態で、（ｂ）は、開封したときの状態を示し、（ｃ）は、使用したのちに、減容するため二つ折りして係止しようとする状態を示し、（ｄ）は、減容したカートンの外観を示す。
【図２】図１に示す減容可能なカートンのブランクの展開平面図である。
【符号の説明】
【００１４】
１０……カートン
１００……ブランク
１０１……折り目線
１０２……ミシン目線
１０３……切込み線
１１０……左の側面板
１１１，１１２，１３１，１３２……フラップ
１２０……正面板
１３０……右の側面板
１４０……裏面板
１４１……開け口片部
１４２……差込み係止部
１５０……貼着板
１６０……外側天板
１６１……係止片部
１７０……外側底板
１８０……内側天板
１８１……切欠き
１９０……内側底板
【図１】
2008265818.tif 000003
【図２】
2008265818.tif 000004